(57)【要約】      （修正有）【課題】情報の可読性に優れた情報表示装置、情報表示方法およびプログラムを提供する。【解決手段】他の端末との共有情報を表示する表示手段を備えた情報表示装置において、前記表示手段は、二次元的なメイン表示領域１３を有し、そのメイン表示領域１３に、前記共有情報の各々に関連付けられたイメージオブジェクト（１４〜１９）を表示する。共有情報の各々に応じてイメージオブジェクトを適正にデザインすることにより、それらのイメージオブジェクトを一瞥しただけで、共有情報の意味を知ることができるようになり、情報の可読性に優れた情報表示装置、情報表示方法およびプログラムを提供できる。【選択図】図４
2011197851.tif 000002
【特許請求の範囲】
【請求項１】
他の端末との共有情報を表示する表示手段を備えた情報表示装置において、
前記表示手段は、
二次元的なメイン表示領域を有し、
そのメイン表示領域に、前記共有情報の各々に関連付けられたイメージオブジェクトを表示することを特徴とする情報表示装置。
【請求項２】
前記メイン表示領域を複数としたことを特徴とする請求項１記載の情報表示装置。
【請求項３】
前記メイン表示領域の一辺を時間軸に対応させるとともに、そのメイン表示領域に表示する共有情報の作成時間に合わせて、そのメイン表示領域を時間軸方向に自動スクロールする自動スクロール手段を備えたことを特徴とする請求項１または請求項２いずれかに記載の情報表示装置。
【請求項４】
前記メイン表示領域の一辺を時間軸に対応させるとともに、ユーザ操作に合わせて、そのメイン表示領域を時間軸方向に手動スクロールする手動スクロール手段を備えたことを特徴とする請求項１または請求項２いずれかに記載の情報表示装置。
【請求項５】
前記メイン表示領域の一辺を時間軸に対応させるとともに、ユーザ操作に合わせて、そのメイン表示領域を過去または未来方向に手動スクロールする手動スクロール手段を備えたことを特徴とする請求項１または請求項２いずれかに記載の情報表示装置。
【請求項６】
前記メイン表示領域の一辺を時間軸に対応させるとともに、そのメイン表示領域に表示する共有情報の各々に関連付けられたイメージオブジェクトを、そのメイン表示領域の時間軸に沿って時系列的に表示する表示制御手段を備えたことを特徴とする請求項１または請求項２いずれかに記載の情報表示装置。
【請求項７】
端末の操作履歴を表示するためのサブ表示領域を有し、
そのサブ表示領域に、前記操作履歴の各々に関連付けられたイメージオブジェクトを表示することを特徴とする請求項１乃至請求項６いずれかに記載の情報表示装置。
【請求項８】
前記共有情報の各々に関連付けられたイメージオブジェクトは、画像を示すオブジェクトであることを特徴とする請求項１乃至請求項６いずれかに記載の情報表示装置。
【請求項９】
前記共有情報の各々に関連付けられたイメージオブジェクトは、動画を示すオブジェクトであることを特徴とする請求項１乃至請求項６いずれかに記載の情報表示装置。
【請求項１０】
前記共有情報の各々に関連付けられたイメージオブジェクトは、音楽情報を示すオブジェクトであることを特徴とする請求項１乃至請求項６いずれかに記載の情報表示装置。
【請求項１１】
前記共有情報の各々に関連付けられたイメージオブジェクトは、自端末または他端末もしくは任意目標物の位置情報を示すオブジェクトであることを特徴とする請求項１乃至請求項６いずれかに記載の情報表示装置。
【請求項１２】
前記共有情報の各々に関連付けられたイメージオブジェクトは、ネットワーク上のコンテンツの場所を示すオブジェクトであることを特徴とする請求項１乃至請求項６いずれかに記載の情報表示装置。
【請求項１３】
前記共有情報の各々に関連付けられたイメージオブジェクトは、その共有情報を登録したユーザの登録場所を示すオブジェクトであることを特徴とする請求項１乃至請求項６いずれかに記載の情報表示装置。
【請求項１４】
前記共有情報の各々に関連付けられたイメージオブジェクトは、その共有情報を登録したユーザの名前または任意の識別情報を示すオブジェクトであることを特徴とする請求項１乃至請求項６いずれかに記載の情報表示装置。
【請求項１５】
前記共有情報の各々に関連付けられたイメージオブジェクトは、その共有情報を登録したユーザの顔写真または似顔絵もしくはアバターを示すオブジェクトであることを特徴とする請求項１乃至請求項６いずれかに記載の情報表示装置。
【請求項１６】
前記共有情報の各々に関連付けられたイメージオブジェクトは、その共有情報を登録したユーザの登録場所を示すオブジェクトであって、且つ、そのユーザの位置移動に合わせて逐次に更新されることを特徴とする請求項１乃至請求項６いずれかに記載の情報表示装置。
【請求項１７】
前記共有情報の各々に関連付けられたイメージオブジェクトが、他のユーザによって新規に書き込まれた共有情報を示すものである場合に、そのオブジェクトが目立つように他のオブジェクトと異なる態様で表示することを特徴とする請求項１乃至請求項６いずれかに記載の情報表示装置。
【請求項１８】
前記メイン表示領域に表示する共有情報を、特定のグループに属するユーザからの書き込みだけに制限する制限手段を有することを特徴とする請求項１乃至請求項６いずれかに記載の情報表示装置。
【請求項１９】
前記共有情報とその共有情報の登録ユーザのメールアドレスまたは電話番号とを関連付けして記憶し、前記共有情報の各々に関連付けられたイメージオブジェクトの一つを選択すると、その選択オブジェクトに対応したメールアドレスまたは電話番号を読み出してメール送信または電話呼び出しの実行を可能としたことを特徴とする請求項１乃至請求項６いずれかに記載の情報表示装置。
【請求項２０】
前記メイン表示領域をネットワークを介して他のユーザの端末と共有することを特徴とする請求項１乃至請求項６いずれかに記載の情報表示装置。
【請求項２１】
前記メイン表示領域に表示されるイメージオブジェクトは、手書き文字または手書き図形を含むことを特徴とする請求項１乃至請求項６いずれかに記載の情報表示装置。
【請求項２２】
前記メイン表示領域に表示されるイメージオブジェクトが手書き文字である場合に、その手書き文字を認識して文字コードに変換する手書き文字認識手段を有することを特徴とする請求項１乃至請求項６いずれかに記載の情報表示装置。
【請求項２３】
前記メイン表示領域へのイメージオブジェクトの登録が所定時間無かった場合に、その間を無記入期間として表示を省略することを特徴とする請求項１乃至請求項６いずれかに記載の情報表示装置。
【請求項２４】
前記メイン表示領域へのイメージオブジェクトの登録が所定時間無かった場合に、その間を無記入期間として表示を省略するか否かをユーザ指定するための指定手段を備えたことを特徴とする請求項１乃至請求項６いずれかに記載の情報表示装置。
【請求項２５】
前記メイン表示領域に表示されたイメージオブジェクトの登録時間が所定の時間よりも古いものについては、簡易表示することを特徴とする請求項１乃至請求項６いずれかに記載の情報表示装置。
【請求項２６】
前記メイン表示領域に表示されるイメージオブジェクトの種類ごとに取りまとめて表示することを特徴とする請求項１乃至請求項６いずれかに記載の情報表示装置。
【請求項２７】
前記メイン表示領域に表示されたイメージオブジェクトが未来の予定に関する共有情報を示すものであるとき、その共有情報に含まれる未来の時間に関連付けたアラーム報知を設定するアラーム報知手段を備えたことを特徴とする請求項１乃至請求項６いずれかに記載の情報表示装置。
【請求項２８】
前記アラーム報知を設定した旨を前記メイン表示領域に表示可能なことを特徴とする請求項２７記載の情報表示装置。
【請求項２９】
前記メイン表示領域に表示されたイメージオブジェクトの少なくとも一つは、他のネットワークサービスから提供されたＡＰＩを含むことを特徴とする請求項１乃至請求項６いずれかに記載の情報表示装置。
【請求項３０】
他の端末との共有情報を表示手段に表示する際に、
前記表示手段に、
二次元的なメイン表示領域を表示するとともに、
そのメイン表示領域に、前記共有情報の各々に関連付けられたイメージオブジェクトを表示する工程を含むことを特徴とする情報表示方法。
【請求項３１】
端末のコンピュータに、
他の端末との共有情報を表示する表示手段としての機能を実現するためのプログラムであって、
前記表示手段は、
二次元的なメイン表示領域を有し、
そのメイン表示領域に、前記共有情報の各々に関連付けられたイメージオブジェクトを表示することを特徴とするプログラム。
【発明の詳細な説明】
【技術分野】
【０００１】
本発明は、情報表示装置、情報表示方法およびプログラムに関し、詳しくは、ネットワークに接続された端末同士の情報共有技術に係る情報表示装置、情報表示方法およびプログラムに関する。
【背景技術】
【０００２】
いわゆる「掲示板システム」は、ネットワークに接続された端末同士の情報共有技術の典型的な例である。このシステムは、要するに、一の端末で書き込まれた掲示板情報をネットワークを介してサーバにアップし、このサーバを仲立ちとして他の端末からの閲覧を可能とするものである。
【０００３】
このような掲示板システムに関する従来技術としては、たとえば、下記の特許文献１に記載されたものがある。下記の特許文献１には、他の端末からの閲覧要求に際して、掲示板情報の一連番号と題名とを示す「一覧表」を要求元の端末に表示し、同端末の利用者による一連番号の指定に応答して、その一連番号に対応した掲示板情報を同端末に表示するという旨の記載がある。
【先行技術文献】
【特許文献】
【０００４】
【特許文献１】特開平５−２５７８４０号公報
【発明の概要】
【発明が解決しようとする課題】
【０００５】
しかしながら、上記の従来技術は、閲覧要求元の端末における情報の可読性が良くないという問題点がある。これは、上記の「一覧表」は「文字情報」と解するのが自然だからであり、文字の読み取りに手間がかかるからである。とりわけ、多数行にわたる一覧表の場合は全体を把握する（判読する）のに相当な時間を要するばかりか、読み間違いや読み飛ばしといったミスを否めず、情報を見落とす恐れがあった。
【０００６】
そこで、本発明は、情報の可読性に優れた情報表示装置、情報表示方法およびプログラムを提供することにある。
【課題を解決するための手段】
【０００７】
請求項１記載の発明は、他の端末との共有情報を表示する表示手段を備えた情報表示装置において、前記表示手段は、二次元的なメイン表示領域を有し、そのメイン表示領域に、前記共有情報の各々に関連付けられたイメージオブジェクトを表示することを特徴とする。
上述した請求項１記載の発明は次のようなものであってもよい。
前記メイン表示領域を複数としたことを特徴とする（請求項２記載の発明）。
上述した請求項１または請求項２記載の発明は次のようなものであってもよい。
前記メイン表示領域の一辺を時間軸に対応させるとともに、そのメイン表示領域に表示する共有情報の作成時間に合わせて、そのメイン表示領域を時間軸方向に自動スクロールする自動スクロール手段を備える（請求項３記載の発明）。
前記メイン表示領域の一辺を時間軸に対応させるとともに、ユーザ操作に合わせて、そのメイン表示領域を時間軸方向に手動スクロールする手動スクロール手段を備えたことを特徴とする（請求項４記載の発明）。
前記メイン表示領域の一辺を時間軸に対応させるとともに、ユーザ操作に合わせて、そのメイン表示領域を過去または未来方向に手動スクロールする手動スクロール手段を備えたことを特徴とする（請求項５記載の発明）。
前記メイン表示領域の一辺を時間軸に対応させるとともに、そのメイン表示領域に表示する共有情報の各々に関連付けられたイメージオブジェクトを、そのメイン表示領域の時間軸に沿って時系列的に表示する表示制御手段を備えたことを特徴とする（請求項６記載の発明）。
上述した請求項１乃至請求項６いずれかに記載の発明は次のようなものであってもよい。
端末の操作履歴を表示するためのサブ表示領域を有し、そのサブ表示領域に、前記操作履歴の各々に関連付けられたイメージオブジェクトを表示することを特徴とする（請求項７記載の発明）。
前記共有情報の各々に関連付けられたイメージオブジェクトは、画像を示すオブジェクトであることを特徴とする（請求項８記載の発明）。
前記共有情報の各々に関連付けられたイメージオブジェクトは、動画を示すオブジェクトであることを特徴とする（請求項９記載の発明）。
前記共有情報の各々に関連付けられたイメージオブジェクトは、音楽情報を示すオブジェクトであることを特徴とする（請求項１０記載の発明）。
前記共有情報の各々に関連付けられたイメージオブジェクトは、自端末または他端末もしくは任意目標物の位置情報を示すオブジェクトであることを特徴とする（請求項１１記載の発明）。
前記共有情報の各々に関連付けられたイメージオブジェクトは、ネットワーク上のコンテンツの場所を示すオブジェクトであることを特徴とする（請求項１２記載の発明）。
前記共有情報の各々に関連付けられたイメージオブジェクトは、その共有情報を登録したユーザの登録場所を示すオブジェクトであることを特徴とする（請求項１３記載の発明）。
前記共有情報の各々に関連付けられたイメージオブジェクトは、その共有情報を登録したユーザの名前または任意の識別情報を示すオブジェクトであることを特徴とする（請求項１４記載の発明）。
前記共有情報の各々に関連付けられたイメージオブジェクトは、その共有情報を登録したユーザの顔写真または似顔絵もしくはアバターを示すオブジェクトであることを特徴とする（請求項１５記載の発明）。
前記共有情報の各々に関連付けられたイメージオブジェクトは、その共有情報を登録したユーザの登録場所を示すオブジェクトであって、且つ、そのユーザの位置移動に合わせて逐次に更新されることを特徴とする（請求項１６記載の発明）。
前記共有情報の各々に関連付けられたイメージオブジェクトが、他のユーザによって新規に書き込まれた共有情報を示すものである場合に、そのオブジェクトが目立つように他のオブジェクトと異なる態様で表示することを特徴とする（請求項１７記載の発明）。
前記メイン表示領域に表示する共有情報を、特定のグループに属するユーザからの書き込みだけに制限する制限手段を有することを特徴とする（請求項１８記載の発明）。
前記共有情報とその共有情報の登録ユーザのメールアドレスまたは電話番号とを関連付けして記憶し、前記共有情報の各々に関連付けられたイメージオブジェクトの一つを選択すると、その選択オブジェクトに対応したメールアドレスまたは電話番号を読み出してメール送信または電話呼び出しの実行を可能としたことを特徴とする（請求項１９記載の発明）。
前記メイン表示領域をネットワークを介して他のユーザの端末と共有することを特徴とする（請求項２０記載の発明）。
前記メイン表示領域に表示されるイメージオブジェクトは、手書き文字または手書き図形を含むことを特徴とする（請求項２１記載の発明）。
前記メイン表示領域に表示されるイメージオブジェクトが手書き文字である場合に、その手書き文字を認識して文字コードに変換する手書き文字認識手段を有することを特徴とする（請求項２２記載の発明）。
前記メイン表示領域へのイメージオブジェクトの登録が所定時間無かった場合に、その間を無記入期間として表示を省略することを特徴とする（請求項２３記載の発明）。
前記メイン表示領域へのイメージオブジェクトの登録が所定時間無かった場合に、その間を無記入期間として表示を省略するか否かをユーザ指定するための指定手段を備えたことを特徴とする（請求項２４記載の発明）。
前記メイン表示領域に表示されたイメージオブジェクトの登録時間が所定の時間よりも古いものについては、簡易表示することを特徴とする（請求項２５記載の発明）。
前記メイン表示領域に表示されるイメージオブジェクトの種類ごとに取りまとめて表示することを特徴とする（請求項２６記載の発明）。
前記メイン表示領域に表示されたイメージオブジェクトが未来の予定に関する共有情報を示すものであるとき、その共有情報に含まれる未来の時間に関連付けたアラーム報知を設定するアラーム報知手段を備えたことを特徴とする（請求項２７記載の発明）。
前記メイン表示領域に表示されたイメージオブジェクトの少なくとも一つは、他のネットワークサービスから提供されたＡＰＩを含むことを特徴とする（請求項２９記載の発明）。
上述した請求項２７記載の発明は次のようなものであってもよい。
前記アラーム報知を設定した旨を前記メイン表示領域に表示可能なことを特徴とする（請求項２８記載の発明）。
請求項３０記載の発明は、他の端末との共有情報を表示手段に表示する際に、前記表示手段に、二次元的なメイン表示領域を表示するとともに、そのメイン表示領域に、前記共有情報の各々に関連付けられたイメージオブジェクトを表示する工程を含むことを特徴とする。
さらに、端末のコンピュータに対して、上述した請求項１記載の発明に示した主要機能を実現させるためのプログラムを提供する（請求項３１記載の発明）。
【発明の効果】
【０００８】
本発明によれば、情報の可読性に優れた情報表示装置、情報表示方法およびプログラムを提供することができる。
【図面の簡単な説明】
【０００９】
【図１】実施形態の概念的な全体構成図である。
【図２】端末４の概念構成図である。
【図３】（ａ）は端末４の画面表示例を示す図、（ｂ）はメイン表示領域１３の概念図である。
【図４】イメージオブジェクトの一例を示す図である。
【図５】アイコンの二次元的な分散表示例を示す図である。
【図６】共有情報の登録方法を示す概念図である。
【図７】サーバ３の概念構成図である。
【図８】共有情報の記憶テーブルを示す図である。
【図９】「登録」と「閲覧」のタイムランを示す図である。
【図１０】サーバ３の動作フローを示す図である。
【図１１】端末４〜６の動作フローを示す図である。
【図１２】無登録期間の対策概念を示す図である。
【図１３】アイコンの整理例を示す図である。
【図１４】マッシュアップの概念図である。
【発明を実施するための形態】
【００１０】
以下、本発明の実施形態を図面を参照しながら説明する。
図１は、本発明の実施形態の概念的な全体構成図である。図１において、情報共有システム１は、ネットワーク２に接続されたサーバ３と端末４〜６とを有する。ネットワーク２は、それらのサーバ３と端末４〜６との間でやり取りされるデータを伝送する通信路であり、たとえば、パケット通信方式、つまり、データをパケットと呼ばれる単位に細分化し、各パケットに送信元と送信先のアドレスを付して通信する方式とすることができる。また、ネットワーク２はさまざまなネットワークの集合体であってもよく、この場合、各ネットワークの接続箇所（ノード）に上記のパケットをアドレスで振り分けるためのルータと呼ばれるデータ振り分け装置を設けていてもよい。このような集合体形式のネットワーク２の代表は、今日においてはインターネットであることから、本実施形態においてもネットワーク２をインターネットであるものとして取り扱う。
【００１１】
サーバ３は、このネットワーク２に接続された端末４〜６に対して所定のサービスを提供するものである。この実施形態における所定のサービスは主に「情報共有化」である。つまり、サーバ３は、各端末４〜６から適宜にアップロードされた情報を整理して保存するとともに、端末４〜６のいずれかからの閲覧要求に応答して、その要求元の端末に保存情報を送信したり、あるいは、一定時間ごとに各端末４〜６に一斉配信したりするというものである。このようにすることで、すべての端末４〜６で情報の共有化を図るようにしたものである。
【００１２】
ここで、図示の端末４〜６は、ネットワーク２に接続された多数の端末のうちのいくつかを代表するものである。以下、説明の便宜上、左端の端末４を自ユーザが所持する「自端末」とし、それ以外の端末５、６を他ユーザが所持する「他端末」とする。この場合、自端末４のユーザは、自端末４からサーバ３にアップした情報はもちろんのこと、他端末５、６からサーバ３にアップされた情報も、その自端末４で確認することができる。このことは他端末５、６においても同様であり、端末４〜６からアップされた情報を一の他端末５で確認できるとともに、端末４〜６からアップされた情報を二の他端末６でも確認できるようになっている。
【００１３】
なお、端末４〜６は、ネットワーク２を介してサーバ３にアクセスし、上記のサービス（情報共有化）を受けることができる構成のものであればよい。たとえば、パーソナルコンピュータ等の情報端末やデータ通信機能付の携帯電話機などであってもよいが、少なくとも、上記の共有情報をグラフィカルに表示できる表示部を備えている必要がある。なお、この表示部は、多諧調表示やカラー表示が可能で、しかも、ペン先や指先等によるタッチ入力が可能なもの（たとえば、タッチパネル付カラー液晶パネル）とすることが望ましい。
【００１４】
図２は、端末４の概念構成図である。なお、他の端末５、６の構成もこの端末４と同様であるため、他の端末５、６の構成に言及する場合も、この図を参照するものとする。端末４は、少なくともネットワーク２とのデータ通信を行う通信部７と、端末４の全体動作を統括制御する、たとえば、マイクロコンピュータおよびその周辺回路で構成されたプログラム制御方式の制御部８と、所定の表示サイズを有する、好ましくはカラー液晶パネルからなる表示部９と、その表示部９の表示画面を覆って配設されたタッチパネル１０と、半導体メモリや磁気ディスク等の大容量記憶デバイスからなる記憶部１１と、ＧＰＳ（Global Positioning System：全地球測位システム）等の位置検出部１２とを含んで構成されている。
【００１５】
なお、図２においては、発明に直接関係しない部分の図示を略している。たとえば、端末４がパーソナルコンピュータ等の情報端末である場合は以上の各部のほかに、キーボードやマウス等の入力装置を含み、または、データ通信機能付の携帯電話機の場合は音声通信部などを含むことはもちろんであり、さらに、携帯型の端末４の場合は電源供給用のバッテリを含むことも当然である。
【００１６】
図３（ａ）は、端末４の画面表示例を示す図である。図３（ａ）では、矩形状の外形を有する端末４が、その長手方向を図面の左右に向けて置かれている様子を示している。以下、この状態をユーザに対する正対方向とする。この正対方向において、必要に応じて表示部９にさまざまな情報が表示されるが、そのうちの一つの情報は、他の端末５、６との共有情報である。この共有情報を表示するために、表示部９には、二次元的な表示領域（以下、メイン表示領域１３）が確保されている。ここで、二次元的な表示領域とは、表示部９の表示画面上において、所定の高さＹと所定の幅Ｘとを有する矩形状の領域のことをいう。
【００１７】
なお、図３（ａ）では、メイン表示領域１３の高さＹは表示部４の縦方向（図面に向かって上下方向）サイズより若干小さく、幅Ｘは表示部４の横方向（図面に向かって左右方向）サイズとほぼ一致しているが、これに限定されない。要は「Ｙ×Ｘ」の二次元的な広さを有する矩形状であればよく、高さＹを表示部４の縦方向サイズに一致させたり、あるいは、幅Ｘを表示部４の幅方向より若干小さくしたりしてもよい。
【００１８】
図３（ｂ）は、メイン表示領域１３の概念図である。図３（ｂ）において、メイン表示領域１３は、表示部９への表示部分１３ａ（破線で囲まれた部分／図３（ａ）のハッチング部分に相当）だけでなく、その前後方向（図面の左右方向）に伸びる非表示部分１３ｂ、１３ｃも含み、表示部分１３ａを左右にスクロールすることにより、メイン表示領域１３のあらゆる部分を表示部４に表示させることができるようになっている。
【００１９】
前記のとおり、メイン表示領域１３は、他の端末５、６との共有情報を表示するために用いられる。共有情報とは、たとえば、文字情報や、写真等の画像情報（静止画、複数コマのアニメーション等、任意の形態の画像を含む、以下同じ）、動画情報、音楽等の音源情報、位置情報、あるいは、ネットワーク２上の任意コンテンツへのリンク情報などであるが、メイン表示領域１３には、これらの共有情報の“本体”は表示されない。その代わりに、各々の共有情報を示す適切にデザインされたアイコン等のイメージオブジェクトが表示されることがポイントである。
【００２０】
図４は、イメージオブジェクトの一例を示す図である。図４において、メイン表示領域１３には、いくつかのイメージオブジェクトの例として、６つのアイコン１４〜１９が表示されている。たとえば、左端のアイコン１４は矩形図形内にアルファベットの“Ｔ”の文字を配しており、この“Ｔ”はテキスト（Ｔｅｘｔ）の頭文字であるので、文字情報を示すイメージオブジェクトであることが直感的にわかる。また、左から２番目のアイコン１５は図案化された山を配しているため、写真等の画像情報を示すイメージオブジェクトであることが直感的にわかる。同様に、左から３番目のアイコン１６は音符を配しているため音楽等の音源情報であること、中央のアイコン１７は図案化された動画フィルムを配しているため動画情報であること、右から２番目のアイコン１８は図案化された旗を配しているため位置情報であること、右端のアイコン１９は“ＵＲＬ”という文字を配しているためネットワーク２上の任意コンテンツへのリンク情報（すなわち、Uniform Resource Locatorの略）であることがわかる。なお、図４では、画像情報や音声情報を、それぞれアイコン１５、１６で表示しているが、例えば、写真やＣＤジャケット等の画像イメージを縮小したサムネイル表示としてもよい。
【００２１】
このように、この実施形態では、多種多様な共有情報をアイコン化して、それらのアイコンを二次元的なメイン表示領域１３に分散表示するようにしたので、とりわけ大量の情報を共有化して表示する際の可読性を大幅に改善することができる。すなわち、冒頭で説明した従来技術では、もっぱら文字列による一覧表示を行っているに過ぎなかったため、読み間違いや読み飛ばしといったミスを否めなかった。これに対して、この実施形態の技術では、アイコンを適切にデザインすることにより、そのようなミスをなくすことができる。これは、いちいち情報を“読む”という作業を必要とせず、アイコンを一瞥するだけで、それらのアイコンに関連付けられている共有情報の種類を直感的に把握できるからである。
【００２２】
次に、アイコンの二次元的な分散表示について説明する。
図５は、アイコンの二次元的な分散表示例を示す図である。図５において、メイン表示領域１３の長手方向のＸ軸（図面左右方向の軸）は時間軸であり、たとえば、図面の左方向を過去方向の時間とし、図面の右方向を未来方向の時間とすることができる。この場合、「過去」と「未来」は、現在時間に相当するホーム位置（時間軸上の任意位置）を境にしてその前後になる。このため、たとえば、ホーム位置をメイン表示領域１３の中間にすればメイン表示領域１３の左半分が過去、右半分が未来になり、あるいは、ホーム位置をメイン表示領域１３の右端にすればメイン表示領域１３の全部が過去になる。また、ホーム位置をメイン表示領域１３の左端にすれば、メイン表示領域１３の全部が未来になる。ホーム位置の指定は、たとえば、メイン表示領域１３の任意場所（ただし、アイコン以外の場所）をタッチすることによって行うことができる。
【００２３】
時間軸（Ｘ軸）は、アイコンの登録日時に対応させることができる。たとえば、ある日時に登録された共有情報を示すアイコンの表示位置を時間軸（Ｘ軸）上の当該日時位置とすることができる。この場合の表示位置は、もっぱら現在日時または過去に遡った日時の位置になるが、その共有情報に未来の予定日時が含まれていた場合は、その予定日時を未来方向の時間軸（Ｘ軸）に表示してもよい。
【００２４】
加えて、メイン表示領域１３の短手方向のＹ軸（図面上下方向の軸）を距離軸とすることができる。この距離は、自端末から共有情報を登録した端末までの距離とすることができる。つまり、自端末からある距離を隔てて位置する他端末によって登録された共有情報のアイコンを表示するとき、その共有情報のＹ軸上における表示位置を当該距離に対応させた位置とすることができる。このようにすると、同じ日時に複数の端末から一斉に情報が登録された場合でも、アイコンの重なりを解消し、または重なりを少なくして表示の混乱を防止することができる。なお、Ｙ軸を距離軸として用いる場合、自端末の位置をＹ軸の下端付近とし、その下端付近を基準に、共有情報を登録した端末までの距離を表示してもよい。つまり、「Ｙ軸の下端→近、Ｙ軸の上端→遠」としてもよい。
【００２５】
次に、共有情報の登録の仕方について説明する。
前記のとおり、メイン表示領域１３は、他の端末５、６との共有情報を表示するために用いられるが、さらに、共有情報を登録する際にも、このメイン表示領域１３を活用して操作性の改善を図ってもよい。
【００２６】
図６は、共有情報の登録方法を示す概念図である。図６において、表示部９の画面上には、上記のメイン表示領域１３と並んでサブ表示領域２０が表示されている。このサブ表示領域２０は、端末４の操作履歴を表示するためのものであり、過去に行われたさまざまな履歴アイコン、たとえば、文字情報（メモ書きやメール等のテキスト情報）の作成履歴を示すアイコン２１や、当該端末４がカメラ付端末である場合に、そのカメラで撮影された写真（画像情報）の作成履歴を示すアイコン２２などが履歴順（時間順）に並べられている。
【００２７】
この実施形態において、履歴内の文字情報を共有情報として新たに登録したいときは、たとえば、その文字情報を示すアイコン２１をドラッグしてメイン表示領域１３にドロップするような構成とすればよい。すなわち、アイコン２１を指先等で選択し、そのまま画面上をずらしてメイン表示領域１３に移動させればよい。このような構成とすることで、メニュー等をいちいち選択する必要がなく、ワンタッチで共有情報を登録でき、操作性を改善することができる。
【００２８】
＜サーバの構成＞
図７は、サーバ３の概念構成図である。図７に示すように、サーバ３は、据え置き型の汎用コンピュータで構成されている。サーバ３の主要な構成は、ネットワーク２とのデータ通信を行う通信部２３と、サーバ３の全体動作を統括制御する、マイクロコンピュータおよびその周辺回路で構成されたプログラム制御方式の制御部２５と、この制御部２５で実行される基本プログラムやサーバ用の応用プログラム等を記憶するプログラム記憶部２４と、端末４〜６から適宜に登録された共有情報を記憶するデータ記憶部２６とである。さらに、汎用コンピュータの標準装備品であるキーボードおよびマウス等の操作部２７やディスプレイ２８などを備えている。なお、ここでは、サーバ３を据え置き型の汎用コンピュータで構成するとしたが、これに限定されない。たとえば、高耐久性のサーバ専用機で構成してもよく、あるいは、分散型コンピュータシステムで構成してもよい。
【００２９】
＜サーバのデータ構成＞
図８は、サーバ３における共有情報の記憶テーブルを示す図である。図８において、記憶テーブル２９は、データ記憶部２６に記憶されるものであって、その内容の変更操作（データの追加や書き換えおよび削除等の操作）が必要に応じて制御部２５から行われるものである。この記憶テーブル２９は、「行」と「列」から構成される、いわゆるデータベース形式のテーブルであり、たとえば、一行ごとに一つの共有情報を格納するようになっているとともに、各行を複数のフィールド、たとえば、ＩＤフィールド２９ａ、データ種別フィールド２９ｂ、登録者フィールド２９ｃ、登録日時フィールド２９ｄ、位置フィールド２９ｅ、データフィールド２９ｆに分けている。
【００３０】
ここで、ＩＤフィールド２９ａには、共有情報を一意に識別するためのユニークな情報が格納され、データ種別フィールド２９ｂには、共有情報の種類（文字情報、画像情報、音源情報・・・・）を示す情報が格納される。また、登録者フィールド２９ｃには、共有情報の登録者の情報（たとえば、名前やニックネーム等）が格納され、登録日時フィールド２９ｄには、共有情報の登録日時が格納される。さらに、位置フィールド２９ｅには、共有情報を登録した端末の登録時点の位置情報（位置検出部１２によって検出されたもの、たとえば、緯度経度）が格納され、データフィールド２９ｆには、共有情報の本体が格納される。なお、上記のフィールドのほかに、たとえば、登録者の顔写真または似顔絵もしくはアバター（アバターとは登録者の分身として画面上に登場するキャラクターのことをいう。似顔絵は本人に似ているが、アバターは、多くの場合、本人以外の仮想人物や有名人等に似せて作られる点で相違する。）などを格納するためのフィールドを有していてもよい。
【００３１】
＜登録と閲覧のタイムライン＞
図９は、端末４〜６とサーバ３との間で行われる「登録」と「閲覧」のタイムランを示す図である。なお、ここでいう「登録」とは共有情報をサーバ３に登録することを示している。また、「閲覧」とは、登録されている共有情報の閲覧をサーバ３に対して要求することを示している。
【００３２】
今、端末４〜６のそれぞれから順次に共有情報の登録が行われた後、端末４、端末５、端末６の順で共有情報の閲覧要求があった場合を考える。この場合、サーバ３は、まず、端末４、端末５、端末６からの共有情報の登録を受け、それらの共有情報をデータ記憶部２６（の記憶テーブル２９）に記憶保存する。しかる後、サーバ３は、まず、端末４からの閲覧要求に応答してデータ記憶部２６（の記憶テーブル２９）から共有情報（この場合、端末４〜６から登録されたすべての共有情報）を読み出し、その共有情報を要求元の端末４に送信する。次いで、端末５からの閲覧要求に応答してデータ記憶部２６から同じ共有情報を読み出し、その共有情報を要求元の端末４に送信する。さらに、端末６からの閲覧要求に応答してデータ記憶部２６から同じ共有情報を読み出し、その共有情報を要求元の端末４に送信する。
【００３３】
このように、すべての端末４〜６に同じ共有情報を送信することができるので、ネットワーク２に接続された各々の端末４〜６で情報の共有化を図ることができる。
【００３４】
＜サーバの動作＞
図１０は、サーバ３の動作フローを示す図である。図１０において、サーバ３は、まず、端末４〜６からの共有情報の登録の有無を判定する（ステップＳ１１）。ステップＳ１１において、「登録有」と判定した場合は、その端末から共有情報を受信し（ステップＳ１２）、データ記憶部２６（の記憶テーブル２９）に登録保存（ステップＳ１３）した後、「登録有」と判定しなかった場合と同様に、端末４〜６からの閲覧要求の有無を判定する（ステップＳ１４）。
ステップＳ１４において、「閲覧要求有」と判定した場合は、データ記憶部２６（の記憶テーブル２９）から共有情報を読み出し（ステップＳ１５）、その共情報法を要求元の端末に送信（ステップＳ１６）した後、再び、ステップＳ１１に戻る。
【００３５】
＜端末の動作＞
図１１は、端末４〜６の動作フローを示す図である。図１１に示すように、端末４〜６は、まず、共有情報の登録イベント（たとえば、図６のサブ表示領域２０からメイン表示領域１３へのアイコンドロップのイベント）を検出したか否かを判定する（ステップＳ２１）。ステップＳ２１において、登録イベントを検出した場合は、その共有情報をサーバ３に送信（ステップＳ２２）した後、ステップＳ２１に戻る。
【００３６】
一方、ステップＳ２１において、登録イベントを検出しなかった場合は、次に、サーバ３への閲覧要求イベント（たとえば、定期的に発生するイベントまたはユーザ操作によって不定期に発生するイベント）を検出したか否かを判定する（ステップＳ２３）。ステップＳ２３において、閲覧要求イベントを検出しなかった場合は、ステップＳ２１に戻り、閲覧要求イベントを検出した場合は、サーバ３に対して共有情報の閲覧要求を出す（ステップＳ２４）。そして、サーバ３からの共有情報の受信を待ち、共有情報の受信が完了すると（ステップ２５）、メイン表示領域１３への共有情報の表示処理（ステップＳ２６）を実行した後、再び、ステップＳ２１に戻る。
【００３７】
ここで、ステップＳ２６の表示処理では、たとえば、図４に示すようなアイコンの表示を行う。図４の表示例では、メイン表示領域１３の左から順に文字情報のアイコン１４、写真のアイコン１５、音楽のアイコン１６、動画のアイコン１７、地点のアイコン１８およびＵＲＬのアイコン１９が並んでいる。先に述べたように、メイン表示領域１３の横方向を時間軸（図５参照）とすれば、この並び順は登録日時の古い順をあらわすことになる。したがって、メイン表示領域１３のアイコン１４〜１９の並びを一瞥するだけで、各々の共有情報の時系列的な関係を一瞬で把握することができる。
【００３８】
また、各々のアイコン１４〜１９の図面縦方向位置を距離（図５参照）に対応させると、自端末を基準にした遠近距離を直感的に把握することができ、上記の登録日時の把握とあいまって、共有情報を登録した端末の現在位置を推定することができる。たとえば、図４の表示例では、ＵＲＬのアイコン１９が右端（つまり、時間軸上の最新日時位置）にあり、且つ、自端末から近い位置にあるので、このＵＲＬのアイコン１９に関連付けられた共有情報を登録した端末が自端末の近くにいるものと推定することができる。このとき、上記の最新日時が現在日時と同じかほぼ同じであれば、当該端末はそれほど移動していないから、上記の推定位置は正確であるといって差し支えない。
【００３９】
このように、ステップＳ２６の表示処理によれば、メイン表示領域１３のアイコン１４〜１９を一瞥するだけで、それらのアイコン１４〜１９に関連付けられた共有情報の種類を速やかに知ることができる。加えて、アイコン１４〜１９の横方向の並び位置から登録日時を速やかに知ることができ、さらに、アイコン１４〜１９の縦方向の並び位置から自端末からの距離を速やかに知ることができる。
【００４０】
以上説明したとおり、本発明の実施形態の情報共有システム１によれば、冒頭の従来技術との対比において、以下の効果を得ることができる。
【００４１】
（１）情報の可読性の改善：
従来技術では「一覧表」を用いて共有情報の管理を行っていたが、この一覧表は文字情報であるため、読み間違い等のミスを否めなかった。これに対して、本発明の実施形態の情報共有システム１では、一覧表の代わりに、共有情報の各々に関連付けられたイメージオブジェクト（アイコン１４〜１９）を用い、且つ、それらのアイコン１４〜１９を二次元的な表示領域（メイン表示領域１３）に分散表示するようにしたので、可読性を改善して読み違い等のミスをなくすことができる。
【００４２】
（２）登録日時の直感的把握：
従来技術のような「一覧表」の場合、仮にその一覧表に登録日時の項目があったとしても、文字情報であることに変わりないから、新旧の時間比較に相当な手間がかかるし、見間違いも否めない。これに対して、本発明の実施形態の情報共有システム１では、メイン表示領域１３の横軸を時間軸とし、その時間軸上に、各々のアイコン１４〜１９を登録日時順に並べるようにしたので、新旧の時間比較を直感的に行うことができ、見間違いを招かない。
【００４３】
（３）端末位置の直感的把握：
端末位置についても同様である。すなわち、従来技術の「一覧表」に登録位置（共有情報を登録した端末の登録時の位置）の項目を作ったとしても、その位置情報もやはり文字情報であるから、読み間違いに伴う位置把握の誤認を否めない。これに対し、本発明の実施形態の情報共有システム１では、メイン表示領域１３の縦軸を距離軸とし、その距離軸上に、各々のアイコン１４〜１９を登録位置順に並べるようにしたので、位置把握を同様に直感的に行うことができ、誤認を招かない。
【００４４】
本発明の実施形態の情報共有システム１の構成や動作および効果は以上のとおりであるが、これに限定されない。さまざまな変形例に展開してもよく、たとえば、以下のようにしてもよい。
【００４５】
本発明の実施形態では、表示部９に一つのメイン表示領域１３を表示しているが、これは一つの例示に過ぎず、表示部９に二つ乃至はそれ以上の数のメイン表示領域１３を表示してもよい。たとえば、表示部９にｎ個のメイン表示領域１３を表示した場合、第１のメイン表示領域１３を第１ユーザグループ用・・・・第ｎ−１のメイン表示領域１３を第ｎ−１ユーザグループ用としてもよい。この場合の第１ユーザグループは、たとえば、仕事関係のユーザグループ、第ｎ−１ユーザグループは友人関係のユーザグループなどとすることができる。あるいは、共有情報の種類ごとに第１のメイン表示領域１３・・・・第ｎ−１のメイン表示領域１３を使い分けてもよい。
【００４６】
本発明の実施形態のメイン表示領域１３は、図３（ｂ）に示したとおり、表示部９への表示部分１３ａ（破線で囲まれた部分／（ａ）のハッチング部分に相当）だけでなく、その前後に伸びる非表示部分１３ｂ、１３ｃも含んでいる。そして、表示部分１３ａを左右にスクロールすることにより、メイン表示領域１３のあらゆる部分を表示部９に表示させることができるようになっている。この場合の「スクロール」は、たとえば、公知のスライダーコントロール〔Ｗｉｎｄｏｗｓ（登録商標）等の汎用オペレーティングシステムの標準コントロールの一種であり、一般的にはコンピュータ画面の右端や下端に配置される。コントロールのつまみをスライドさせることによって画面が上下または左右にスクロールする。〕を使用して手動で行うようにしてもよいし、あるいは、自動化してもよい。たとえば、アイコンを新規に表示する場合、そのアイコンは新規に登録された共有情報に関連付けされたものであって、最新の登録情報であるから、このアイコンがメイン表示領域１３の適当な位置（たとえば、右端）に表示されるように、メイン表示領域１３を右から左へと適当量だけ自動スクロールさせるようにしてもよい。
【００４７】
本発明の実施形態では、メイン表示領域１３に、共有情報の種類を示すアイコンを表示するだけでなく、そのアイコンと一緒に、その共有情報の登録者の名前またはニックネームを表示するようにしてもよい。このような表示を行うことにより、アイコンを誰が作成したのかを知ることができる。
【００４８】
本発明の実施形態では、メイン表示領域１３に、アイコンと一緒に、その共有情報の登録者の顔写真または似顔絵もしくはアバターを表示するようにしてもよい。このような表示を行うことにより、名前やニックネームを使用した場合に比べ、間違いを少なくできる。
【００４９】
本発明の実施形態では、メイン表示領域１３に、端末４の位置を逐次に取得して、位置を移動するたびにサーバ３の登録情報を更新するようにしてもよい。この場合、サーバ３は、他の端末からの要求を待たずに、その更新された位置情報をそれら他の端末に速やかに通知することが望ましい。このようにすると、各端末における他の端末の位置追跡をリアルタイムに行うことができる。
【００５０】
本発明の実施形態では、メイン表示領域１３に表示するアイコンを制限するようにしてもよい。たとえば、特定の登録者または特定グループに属する登録者によって登録された共有情報のアイコンだけを限定的に表示するようにしてもよい。このようにすると、メイン表示領域１３の表示をすっきりさせることができ、混乱を招くことがない。
【００５１】
本発明の実施形態では、メイン表示領域１３に表示されるアイコンに共有情報の登録者の連絡先（電話番号やメールアドレス）をリンクさせてもよい。このようにすると、アイコンを選択するだけで、電話をかけたりメールを送信したりできる。
【００５２】
本発明の実施形態では、メイン表示領域１３にアイコンを表示するだけでなく、たとえば、手書き文字や手書き図形を入力できるようにしてもよく、これらの手書き情報を共有情報としてサーバ３に登録できるようにしてもよい。このようにすると、たとえば、簡単な文章や図形などを手書きして他のユーザと共有することができ、円滑な意思の疎通を図ることができる。
【００５３】
なお、上記の手書き文字を「文字認識」して文字コードにし、その文字コードを文字フォントに変換してメイン表示領域１３に表示するとともに、サーバ３に登録してもよい。文字列による検索を行うことが可能となり、大量の共有情報の中から目的の情報を容易に見つけ出せるようになる。
【００５４】
ところで、各端末４〜６からの共有情報の登録は、必ずしも頻繁に行われるとは限らない。このため、前記のとおり、メイン表示領域１３の横軸を時間軸とし、その時間軸に沿ってアイコン１４〜１９を登録日時順に表示した場合に、無登録期間の分だけ、メイン表示領域１３に空白を生じるという不都合がある。もちろん、その場合においてもメイン表示領域１３を時間軸方向にスクロールさせることによって、空白期間をスキップすることは可能であるが、操作の面倒を否めない。
【００５５】
図１２は、無登録期間の対策概念を示す図である。図１２において、今、図１２（ａ）に示すように、横軸を時間軸としたメイン表示領域１３にいくつかのアイコン３０〜３５が表示されているものとする。これらのアイコン３０〜３５は、前記のアイコン１４〜１９（図４参照）に相当するものであり、端末４〜６のいずれかから、時間軸上の各々の日時にサーバ３に登録された共有情報に関連付けられたものである。さて、この図１２（ａ）により、アイコン３１とアイコン３２の間に空白期間３６が生じていることがわかる。この空白期間３６は、いずれの端末４〜６からも共有情報の登録が行われなかった期間であり、なんらの情報も含まない単なる空白表示期間（背景のみの期間）である。
【００５６】
このような空白期間３６を含むメイン表示領域１３を表示部９に表示する場合、当然ながら表示部９の画面サイズ分しか表示を行うことができない。このため、空白期間３６が長い（時間軸方向の長さが大きい）場合には、表示部９の多くを“空白”が占有することとなる。この“空白”は、上記のとおり、スクロール操作によりスキップできるとはいえ、操作性の悪化を否めない。そこで、図１２（ｂ）のような対策を提案する。
【００５７】
この図１２（ｂ）において、アイコン３１とアイコン３２の間に描かれた縦方向の破線３７は、図１２（ａ）で示す空白期間３６の左右端を重ね合わせた状態を示している。つまり、縦方向の破線３７は、図１２（ａ）のメイン表示領域１３から空白期間３６を取り除き、その前後をつなぎ合わせた接合線を示している。このように、空白期間３６を取り除いたメイン表示領域１３を表示部９に表示することにより、上記の不都合を解消し、スクロール操作を不要にして操作性の改善を図ることができる。ちなみに、削除すべき空白期間３６であるか否かの判断は、空白期間３６の長さ（時間軸方向の長さ）によって行うことができる。所定量よりも長い場合は削除し、所定量に満たない場合はそのまま表示すればよい。この場合の“所定量”は固定値であってもよく、あるいは、ユーザによって任意に設定可能な可変値であってもよい。
【００５８】
なお、空白期間３６の存在は一概に無駄とはいえない。たとえば、アイコン３１とアイコン３２の時間差から何らかの意味を見い出したい場合があるが、空白期間３６を一律に削除すると、このような場合に対応できないからである。したがって、空白期間３６を削除するか否かの判断をユーザに委ねることが望ましいといえる。判断をユーザに委ねるには、たとえば、画面上の空白期間３６へのタッチ操作を検出し、そのタッチ操作に応答して空白期間３６の表示と非表示とをトグル的に切り替えるようにしてもよい。この場合、空白期間３６の表示と非表示のいずれをデフォルト値とするかをシステム設定値として任意に設定できるようにしておくことが望ましい。
【００５９】
ところで、メイン表示領域１３に表示されるアイコン数が多くなるにつれて、画面がだんだんと見にくくなり、且つ、煩雑なスクロール操作も必要となる。このため、何らかの方法によりアイコンの整理を行うことが望ましい。
【００６０】
図１３は、メイン表示領域１３に表示されるアイコンの整理例を示す図である。図１３において、メイン表示領域１３に多数のアイコン３８〜４４が表示されている。先に説明したアイコン１４〜１９やアイコン３０〜３５との相違は、登録日時が古いアイコンほどサイズが小さくなっている点にある。つまり、時間軸上のある時点イまでは見易さ重視の大き目のアイコン４１〜４４を表示しているが、それよりも古いアイコン３８〜４０については、アイコンの整理を重視した「簡易表示」となっている。すなわち、アイコンの登録日時が古くなるほどサイズを縮小して表示していることがポイントになっている。このようにすると、古いアイコン３８〜４０（したがって、参照頻度の少ないアイコン）の表示占有面積が減るので、小さな面積により多くのアイコンを密集表示することができるようになる。その結果、画面の見易さを改善でき、しかも、スクロール操作を減らして操作性の改善も図ることができる。
【００６１】
なお、以上の説明は、アイコンを整理するための「簡易表示」の一つの例を示したものであって、これに限定されない。他の簡易表示であってもよく、たとえば、古いアイコンをフォルダに収め、そのフォルダのアイコンを表示してもよく、あるいは、古いアイコンを非表示にするとともに、その存在を示す何らかの代替表示（たとえば、矢印記号表示）を行ってもよい。
【００６２】
また、メイン表示領域１３に表示される共有情報を、その種類ごとに取りまとめて表示してもよい。たとえば、共有情報の種類を文字情報、画像情報、音源情報、リンク情報とした場合、それらの種類ごとに同一日付のフォルダまたは同一日付の同一時間帯のフォルダを作り、各々のフォルダのアイコンを、それらの日付順または時間帯順に並べてもよい。このようにしても、アイコンの表示数を減らすことができるから、画面の見易と操作性の改善を図ることができる。
【００６３】
または、自端末で登録した共有情報と他端末で登録した共有情報とを視覚的に識別できるようにしてもよい。ここでいう、“視覚的に識別できる”とは、両者、つまり、自端末で登録した共有情報と他端末で登録した共有情報とを見た目で区別できるようにすることを示している。たとえば、両者の色味や色調を変えたり、背景を変えたり、または、一方を点滅させたりすることを示しているが、これらに限定されるものではなく、見た目で両者を区別できる表示態様になっていればよい。
【００６４】
また、メイン表示領域１３の横軸を時間軸とするとともに、その時間軸上の未来の日時に何らかのアイコンを表示した場合、その未来に位置するアイコンに関連付けてアラーム報知を行うようにしてもよい。そのようにすると、たとえば、そのアイコンが所定日時に開催する会議に関するものであるとき、当該日時に達した時点で、たとえば、警告音等を発してユーザに会議を知らせることができる。なお、アラーム報知は音に限らず、たとえば、振動やメールによる通知であってもよい。また、アラーム報知を有効とするか無効とするかをユーザ設定できるようにしておくことが望ましく、あるいは、予定の何分前に報知を行うかについても、ユーザ設定できるようにしておくことが望ましい。
【００６５】
なお、今日においては、インターネット上でさまざまなＷｅｂサービスが提供されていることから、これらのＷｅｂサービスとの連携活用（いわゆるマッシュアップ）を図ることが望ましい。この点において、公知のＷｅｂサービスは機能の全部または一部をＡＰＩ（Application Program Interface）の形で公開しているところが多く、このＡＰＩを組み込むことによってマッシュアップが可能になる。
【００６６】
図１４は、マッシュアップの概念図である。図１４において、メイン表示領域１３には、以上の説明と同様にいくつかのアイコン４５〜４７が表示されているが、これに加えて、さらに、所定のＷｅｂサービスのＡＰＩを組み込んだマッシュアップオブジェクト４８が表示されている。このマッシュアップオブジェクト４８の実際の機能は、対象となるＷｅｂサービスによってさまざまであるが、たとえば、ＹｏｕＴｕｂｅ（登録商標）などの動画配信サイトのＡＰＩとした場合、その動画配信サイトのオープニング画面またはユーザによって選択された動画配信画面を表示することができる。
【００６７】
このようにすると、ユーザは、情報共有システム１のサービスを受けている間に、知らず知らずのうちに他のサービス（この場合は、動画配信サービス）を利用することになるから、自サービス（情報共有システム１のサービス）のみならず、他のさまざまなサービスをシームレスに利用できるようになり、利便性をより向上することができる。
【符号の説明】
【００６８】
４  端末（情報表示装置）
５、６  端末
８  制御部（自動スクロール手段、手動スクロール手段、表示制御手段、制限手段、文字認識手段、指定手段、アラーム報知手段）
９  表示部（表示手段）
１３  メイン表示領域
１４〜１９  アイコン（イメージオブジェクト）
２０  サブ表示領域
２１、２２  アイコン（イメージオブジェクト）
３０〜３５  アイコン（イメージオブジェクト）
３８〜４４  アイコン（イメージオブジェクト）
４８  マッシュアップオブジェクト（イメージオブジェクト）
【図１】
2011197851.tif 000003
【図２】
2011197851.tif 000004
【図３】
2011197851.tif 000005
【図４】
2011197851.tif 000006
【図５】
2011197851.tif 000007
【図６】
2011197851.tif 000008
【図７】
2011197851.tif 000009
【図８】
2011197851.tif 000010
【図９】
2011197851.tif 000011
【図１０】
2011197851.tif 000012
【図１１】
2011197851.tif 000013
【図１２】
2011197851.tif 000014
【図１３】
2011197851.tif 000015
【図１４】
2011197851.tif 000016